(57)【特許請求の範囲】
【請求項１】
被印字媒体が巻き回されたロール紙をロール紙支持軸に支持すると共に、前記ロール紙支持軸に環装されたガイド部によって、前記ロール紙支持軸に支持された前記ロール紙の軸方向における移動を規制する被印字媒体供給装置であって、
前記ロール紙支持軸は、軸に直交する複数の溝からなる位置決め溝がそれぞれ形成され、軸心を中心とする一対の円弧面と、軸心から等距離に配置された平行な一対の平面とからなる周面を有し、
前記ガイド部は、前記ロール紙支持軸に環装されている状態で、前記ロール紙支持軸の円弧面上に延出し、前記位置決め溝と係合する溝部が形成されている位置決め片と、
前記ロール紙支持軸の平面上に延出し、前記位置決め溝と前記位置決め片の溝部との係合を係脱させる操作片とを具備し、
さらに、前記位置決め片および前記操作片は、略Ｌ字状に連設され、連設箇所が回動可能に支持されるとともに、軸心に対して点対称の位置に２個それぞれ設けられたＬ字状部材であり、
前記ガイド部が前記ロール紙支持軸に環装されている状態で、前記操作片が前記ロール紙支持軸の平面から離れ、且つ前記位置決め片が前記ロール紙支持軸の円弧面に押圧される方向に付勢する付勢手段を具備することを特徴とする被印字媒体供給装置。
【請求項２】
２個の前記Ｌ字状部材における前記操作片をそれぞれ操作する２個の操作部は、軸心を通る前記ロール紙支持軸の平面に平行な線に対して線対称の位置にそれぞれ設けられていることを特徴とする請求項１記載の被印字媒体供給装置。
【発明の詳細な説明】
【技術分野】
【０００１】
本発明は、印字装置に供給する被印字媒体が巻き回されたロール紙を支持する被印字媒体供給装置に関し、特に被印字媒体が巻き回されている紙管等の筒状体の内径が大なるロール紙を支持する被印字媒体供給装置に関する。
【背景技術】
【０００２】
印字装置に供給する被印字媒体が巻き回されたロール紙を支持する被印字媒体供給装置において、ロール紙の内周に当接して支持するロール紙支持軸が、ロール紙と共に回転する場合には、ロール紙支持軸に支持したロール紙の軸方向の移動を規制するガイド部は、ロール紙支持軸に環装され、ロール紙支持軸と共に回転するように構成されている。
【０００３】
この種の被印字媒体供給装置としては、ロール紙支持軸にガイド部が回転しないように規制するための回転規制溝を設けると共に、ガイド部にロール紙支持軸に嵌合し回転規制溝にはめ合う回転規制突起部と、ロール紙支持軸を締め付けるための支持軸締め付け部が設けられたロール紙保持ベース部材と、ロール紙保持ベース部材に回動可能に取り付けられ、ロール紙保持ベース部材に対して一方の方向に回転することにより支持軸締め付け部によってロール紙支持軸を締め付け、他方の方向に回転することにより支持軸締め付け部によるロール紙支持軸の締め付けを解除するロック操作部材とを設け、ガイド部のロール紙支持軸に装着を容易としたものが提案されている（例えば、特許文献１参照）。
【０００４】
しかしながら、従来技術では、ガイド部のロール紙支持軸への締め付けを操作するロック操作部材は、ロール紙支持軸に環装される関係上、ロール紙支持軸の径よりも大きなものになっているため、被印字媒体として厚さがある腰の強いタグ等が用いられ、被印字媒体を巻き回す紙管等の筒状体の径が大きく、被印字媒体が筒状体に巻き回されたロール紙が装着されるロール紙支持軸の径を大きくする必要がある場合には、ロック操作部材の径も大きなものになってしまい、片手で取り扱うことが困難になってしまうという問題点があった。
【０００５】
【特許文献１】特開２００２−１４５４９２号公報
【発明の開示】
【発明が解決しようとする課題】
【０００６】
本発明は斯かる問題点に鑑みてなされたものであり、その目的とするところは、被印字媒体を巻き回す紙管等の筒状体の径が大きく、ロール紙支持軸の径が大きい場合でも、ガイド部のロール紙支持軸への環装および固定を片手で簡単に取り扱うことができる被印字媒体供給装置を提供する点にある。
【課題を解決するための手段】
【０００７】
本発明は上記課題を解決すべく、以下に掲げる構成とした。
請求項１記載の発明の要旨は、被印字媒体が巻き回されたロール紙をロール紙支持軸に支持すると共に、前記ロール紙支持軸に環装されたガイド部によって、前記ロール紙支持軸に支持された前記ロール紙の軸方向における移動を規制する被印字媒体供給装置であって、前記ロール紙支持軸は、軸に直交する複数の溝からなる位置決め溝がそれぞれ形成され、軸心を中心とする一対の円弧面と、軸心から等距離に配置された平行な一対の平面とからなる周面を有し、前記ガイド部は、前記ロール紙支持軸に環装されている状態で、前記ロール紙支持軸の円弧面上に延出し、前記位置決め溝と係合する溝部が形成されている位置決め片と、前記ロール紙支持軸の平面上に延出し、前記位置決め溝と前記位置決め片の溝部との係合を係脱させる操作片とを具備し、さらに、前記位置決め片および前記操作片は、略Ｌ字状に連設され、連設箇所が回動可能に支持されるとともに、軸心に対して点対称の位置に２個それぞれ設けられたＬ字状部材であり、前記ガイド部が前記ロール紙支持軸に環装されている状態で、前記操作片が前記ロール紙支持軸の平面から離れ、且つ前記位置決め片が前記ロール紙支持軸の円弧面に押圧される方向に付勢する付勢手段を具備することを特徴とする被印字媒体供給装置に存する。
また、請求項２記載の発明の要旨は、２個の前記Ｌ字状部材における前記操作片をそれぞれ操作する２個の操作部は、軸心を通る前記ロール紙支持軸の平面に平行な線に対して線対称の位置にそれぞれ設けられていることを特徴とする請求項１記載の被印字媒体供給装置に存する。
【発明の効果】
【０００８】
本発明の被印字媒体供給装置は、軸に直交する複数の溝からなる位置決め溝がそれぞれ形成され、軸心を中心とする一対の円弧面と、軸心から等距離に配置された平行な一対の平面とからなる周面を有するロール紙支持軸を用い、ロール紙支持軸に環装されている状態で、ロール紙支持軸の円弧面上に延出し、位置決め溝と係合する溝部が形成されている位置決め片と、ロール紙支持軸の平面上に延出し、位置決め溝と位置決め片の溝部との係合を係脱させる操作片とをガイド部に設けることにより、ガイド部がロール紙支持軸に環装されている状態で、ロール紙支持軸の円弧面の直径よりも小さい間隔で対峙している一対の平面に対向した箇所に、操作部が配置され、片手で操作部を操作することができるため、被印字媒体を巻き回す紙管等の筒状体の径が大きく、ロール紙支持軸の径が大きい場合でも、ガイド部のロール紙支持軸への環装および固定を片手で簡単に取り扱うことができるという効果を奏する。
【０００９】
さらに、本発明の被印字媒体供給装置においては、位置決め片および操作片は、略Ｌ字状に連設され、連設箇所が回動可能に支持されたＬ字状部材であり、ガイド部がロール紙支持軸に環装されている状態で、操作片がロール紙支持軸の平面から離れ、且つ位置決め片がロール紙支持軸の円弧面に押圧される方向に付勢する付勢手段を設けることにより、位置決め溝と位置決め片の溝部との係脱を簡単な構成で実現することができるという効果を奏する。
【００１０】
さらに、本発明の被印字媒体供給装置においては、２個のＬ字状部材が軸心に対して点対称の位置にそれぞれ設けられていることにより、ガイド部をロール紙支持軸に環装させても、ロール紙支持軸を中心とする回転に偏りが生じることがなく、スムーズにロール紙支持軸を回転させることができるという効果を奏する。
【００１１】
さらに、本発明の被印字媒体供給装置においては、２個のＬ字状部材における操作片をそれぞれ操作する２個の操作部が、軸心を通るロール紙支持軸の平面に平行な線に対して線対称の位置にそれぞれ設けられていることにより、操作部の操作を片手でも無理なく行うことができるという効果を奏する。
【発明を実施するための最良の形態】
【００１２】
以下、本発明の実施の形態を図面に基づいて詳細に説明する。
【００１３】
図１は、本発明に係る被印字媒体供給装置の実施の形態が用いられるサーマルプリンタの構成を示す概略側面図であり、図２は、本発明に係る被印字媒体供給装置の実施の形態構成を示す斜視図であり、図３は、図２に示すボス部および第１のガイド部の構成を示す斜視図であり、図４は、図２に示す第２のガイド部の構成を示す斜視図であり、図５は、図４に示す係合機構の構成を示す平面図である。
【００１４】
本実施の形態の被印字媒体供給装置１０は、被印字媒体であるタグ連続体１を紙管等の筒状体にロール状に巻き回された状態、すなわちロール紙２として回転可能に支持する装置であり、例えば、図１に示すようなサーマルプリンタ２０に用いられる。
【００１５】
サーマルプリンタ２０は、図１を参照すると、印字部として、プラテンローラ２１と、複数の発熱体が幅方向に形成されている面がプラテンローラ２１に対向するように配置されたサーマルヘッド２２とを有し、タグが連続したタグ連続体１とインクリボン３とを重ねてプラテンローラ２１とサーマルヘッド２２との間に挟持搬送し、サーマルヘッド２２の発熱体を選択的に発熱させることにより、タグ連続体１にインクリボン３からインクを転写させて印字を行うように構成されている。また、印字されたタグ連続体１は、印字部の後段に設けられたカッタ装置５０によって所定の位置で切り離されて排出される。
【００１６】
タグ連続体１は、ロール紙２として被印字媒体供給装置１０に回転可能に支持され、プラテンローラ２１とサーマルヘッド２２とで挟持搬送されることによって引き出され、被印字媒体供給装置１０から引き出されたタグ連続体１がプラテンローラ２１とサーマルヘッド２２との間に供給される。なお、図１に示す符号２３は、被印字媒体供給装置１０から引き出されたタグ連続体１をプラテンローラ２１とサーマルヘッド２２との間に案内する案内ローラである。
【００１７】
また、インクリボン３は、リボン供給軸２４と、プラテンローラ２１に連動して回転駆動されるリボン巻き取り軸２５との間に架け渡され、リボン供給軸２４にロール状に巻き回された状態で支持された未使用のインクリボン３が、プラテンローラ２１とサーマルヘッド２２との間にタグ連続体１と共に供給され、転写後のインクリボン３が、リボン巻き取り軸２５によって巻き取られるようになっている。なお、図１に示す符号２６は、リボン供給軸２４に支持された未使用のインクリボン３をプラテンローラ２１とサーマルヘッド２２との間に案内する案内ローラであり、図１に示す符号２７および２８は、転写後のインクリボン３をリボン巻き取り軸２５に案内する案内ローラである。
【００１８】
被印字媒体供給装置１０は、図２を参照すると、側板に回転可能に片持ち支持された回転軸１１と、回転軸１１に環装され、ロール紙２の紙管等の筒状体内周面に当接する周面を有してロール紙２が装着されるボス部１２と、ボス部１２もしくは回転軸１１に固定された第１のガイド部１３と、ボス部１２に対して軸方向に移動可能に環装される第２のガイド部１４とを備えており、回転軸１１の解放端側からボス部１２にロール紙２を装着した後、第２のガイド部１４をボス部１２に環装させて位置決めすることで、ボス部１２に装着されたロール紙２の軸方向の移動を第１のガイド部１３と第２のガイド部１４とで規制し、回転軸１１、ボス部１２、第１のガイド部１３および第２のガイド部１４と、ボス部１２に装着されたロール紙２とが一体となって回転するように構成されている。
【００１９】
ボス部１２は、回転方向および軸方向において位置決めされて回転軸１１に環装され、回転軸１１に環装されたボス部１２がロール紙２を支持するロール紙支持軸として機能する。ボス部１２は、図３を参照すると、回転軸１１の軸心Ｃを中心とする一対の円弧面１２１と、回転軸１１の軸心Ｃから等距離に配置された平行な一対の平面１２２とからなる周面を有し、円弧面１２１にロール紙２の内周面が当接して装着される。また、一対の円弧面１２１には、円弧面１２１から突出した樹脂バネ部１２３がそれぞれ形成され、円弧面１２１に装着されたロール紙２は、樹脂バネ部１２３によって内周面が押圧されて固定される。さらに、一対の円弧面１２１には、軸に直交する複数の溝からなる位置決め溝１２４がそれぞれ形成されている。
【００２０】
第１のガイド部１３は、複数の羽部１３１が放射状に延出したガイド板であり、ボス部１２もしくは回転軸１１に固定され、ボス部１２に装着されたロール紙２の側板側の端面に当接して軸方向への移動を規制する。
【００２１】
第２のガイド部１４は、図４を参照すると、ボス部１２の周面形状と略同一形状の内周１４１が形成され、ボス部１２に対して回転方向において位置決めされた状態で環装されると共に、複数の羽部１４２が放射状に延出し、ボス部１２に装着されたロール紙２の解放端側の端面に当接して軸方向への移動を規制するガイド板１４３と、ガイド板１４３のボス部１２に装着されたロール紙２に当接する面の反対面側に設けられ、円弧面１２１に形成されている位置決め溝１２４に係合することで、ボス部１２に対して第２のガイド部１４を軸方向において固定する係合機構とを備えている。
【００２２】
係合機構として、第２のガイド部１４がボス部１２に環装されている状態で、ボス部１２の円弧面１２１上に延出し、円弧面１２１と対向する面に位置決め溝１２４と係合する溝部１４４が形成されている位置決め片１４５と、ボス部１２の平面１２２上に略平行に延出し、位置決め溝１２４と位置決め片１４５の溝部１４４との係合を係脱させる操作片１４６とが略Ｌ字状に連設されたＬ字状部材が、連設箇所がガイド板１４３に立設された支持軸１４７に回動可能に支持された状態で、２個設けられている。また、係合機構は、カバー１４８によって覆われ、操作片１４６に設けられた操作部１４９のみがカバー１４８から突出している。
【００２３】
図５を参照すると、第２のガイド部１４がボス部１２に環装されている状態で、ボス部１２の平面１２２に対向する対向面１５０がガイド板１４３に立設されており、対向面１５０と操作片１４６との間にバネ１５１が介装され、操作片１４６は、対向面１５０から離れる方向に付勢されている。従って、第２のガイド部１４がボス部１２に環装されていない状態では、操作片１４６および位置決め片１４５からなるＬ字状部材は、図５に矢印に示す方向に回動され、図５に示すように、位置決め片１４５が内周１４１に突出した状態となる。なお、操作片１４６および位置決め片１４５からなるＬ字状部材は、第２のガイド部１４がボス部１２に環装されている状態で、回転軸１１の軸心Ｃに対して点対称の位置にそれぞれ設けられており、回転軸１１を中心とする回転に偏りが生じないようになっていると共に、カバー１４８から突出している２個の操作部１４９は、回転軸１１の軸心Ｃを通るボス部１２の平面１２２に平行な線に対して線対称の位置にそれぞれ設けられており、操作部１４９の操作、すなわち操作部１４９をバネ１５１の付勢力に抗してボス部１２の平面１２２に対して垂直な方向に押し下げる動作を片手でも無理なく行えるようになっている。
【００２４】
次に、本実施の形態における係合機構の動作について図６および図７を参照して詳細に説明する。
図６は、図４に示す係合機構の操作時の状態を示す平面図であり、図７は、図４に示す係合機構の係合時の状態を示す平面図である。
【００２５】
第２のガイド部１４をボス部１２に環装させる際には、図６に示すように、操作部１４９の操作、すなわち操作部１４９をバネ１５１の付勢力に抗してボス部１２の平面１２２に対して垂直な方向に押し下げ、操作片１４６および位置決め片１４５からなるＬ字状部材を、図６に矢印に示す方向に回動させることで、位置決め片１４５を内周１４１から退出させる。なお、２個の操作部１４９は、第２のガイド部１４がボス部１２に環装されている状態で、円弧面１２１の直径よりも小さい間隔で対峙しているボス部１２の一対の平面１２２に対向した箇所にそれぞれ配置されるため、２個の操作部１４９の間隔を狭くすることができ、２個の操作部１４９を片手で操作することが可能になる。
【００２６】
次に、第２のガイド部１４をボス部１２に環装させ、軸方向に移動させて位置決めをした後、操作部１４９の操作を止めると、操作片１４６および位置決め片１４５からなるＬ字状部材は、バネ１５１の付勢力によって、図７に矢印に示す方向に回動され、位置決め片１４５の溝部１４４が円弧面１２１の位置決め溝１２４に押圧されて、溝部１４４と位置決め溝１２４とが係合し、第２のガイド部１４がボス部１２の軸方向において固定される。
【００２７】
次に、第２のガイド部１４をボス部１２から抜き取る場合には、操作部１４９の操作、すなわち操作部１４９をバネ１５１の付勢力に抗してボス部１２の平面１２２に対して垂直な方向に押し下げ、操作片１４６および位置決め片１４５からなるＬ字状部材を、図６に矢印に示す方向に回動させて、溝部１４４と位置決め溝１２４との係合を解消させることで、ボス部１２から第２のガイド部１４を抜き取ることが可能になる。
【００２８】
以上説明したように、本実施の形態によれば、軸に直交する複数の溝からなる位置決め溝１２４がそれぞれ形成され、軸心Ｃを中心とする一対の円弧面１２１と、軸心Ｃから等距離に配置された平行な一対の平面１２２とからなる周面を有するボス部１２を用い、ボス部１２に環装されている状態で、ボス部１２の円弧面１２１上に延出し、位置決め溝１２４と係合する溝部１４４が形成されている位置決め片１４５と、ボス部１２の平面１２２上に延出し、位置決め溝１２４と位置決め片１４５の溝部１４４との係合を係脱させる操作片１４６とを第２のガイド部１４に設けることにより、第２のガイド部１４がボス部１２に環装されている状態で、ボス部１２の円弧面１２１の直径よりも小さい間隔で対峙している一対の平面１２２に対向した箇所に、操作部１４９が配置され、片手で操作部１４９を操作することができるため、タグ連続体１を巻き回す紙管等の筒状体の径が大きく、ボス部１２の径が大きい場合でも、第２のガイド部１４のボス部１２への環装および固定を片手で簡単に取り扱うことができるという効果を奏する。
【００２９】
さらに、本実施の形態によれば、位置決め片１４５および操作片１４６は、略Ｌ字状に連設され、連設箇所が回動可能に支持されたＬ字状部材であり、第２のガイド部１４がボス部１２に環装されている状態で、操作片１４６がボス部１２の平面１２２から離れ、且つ位置決め片１４５がボス部１２の円弧面１２１に押圧される方向に付勢するバネ１５１を設けることにより、位置決め溝１２４と位置決め片１４５の溝部１４４との係脱を簡単な構成で実現することができるという効果を奏する。
【００３０】
さらに、本実施の形態によれば、２個のＬ字状部材が軸心Ｃに対して点対称の位置にそれぞれ設けられていることにより、第２のガイド部１４をボス部１２に環装させても、ボス部１２を中心とする回転に偏りが生じることがなく、スムーズにボス部１２を回転させることができるという効果を奏する。
【００３１】
さらに、本実施の形態によれば、２個のＬ字状部材における操作片１４６をそれぞれ操作する２個の操作部１４９が、軸心Ｃを通るボス部１２の平面１２２に平行な線に対して線対称の位置にそれぞれ設けられていることにより、操作部の操作を片手でも無理なく行うことができるという効果を奏する。
【００３２】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３３】
【図１】本発明に係る被印字媒体供給装置の実施の形態が用いられるサーマルプリンタの構成を示す概略側面図である。
【図２】本発明に係る被印字媒体供給装置の実施の形態構成を示す斜視図である。
【図３】図２に示すボス部および第１のガイド部の構成を示す斜視図である。
【図４】図２に示す第２のガイド部の構成を示す斜視図である。
【図５】図４に示す係合機構の構成を示す平面図である。
【図６】図４に示す係合機構の操作時の状態を示す平面図である。
【図７】図４に示す係合機構の係合時の状態を示す平面図である。
【符号の説明】
【００３４】
１  タグ連続体
２  ロール紙
３  インクリボン
１０  被印字媒体供給装置
１１  回転軸
１２  ボス部
１３  第１のガイド部
１４  第２のガイド部
２０  サーマルプリンタ
２１  プラテンローラ
２２  サーマルヘッド
２３  案内ローラ
２４  リボン供給軸
２５  リボン巻き取り軸
２６  案内ローラ
２７  案内ローラ
２８  案内ローラ
５０  カッタ装置
１２１  円弧面
１２２  平面
１２３  樹脂バネ部
１２４  位置決め溝
１３１  羽部
１４１  内周
１４２  羽部
１４３  ガイド板
１４４  溝部
１４５  位置決め片
１４６  操作片
１４７  支持軸
１４８  カバー
１４９  操作部
１５０  対向面
１５１  バネ
【図１】
0004359330.tif 000002
【図２】
0004359330.tif 000003
【図３】
0004359330.tif 000004
【図４】
0004359330.tif 000005
【図５】
0004359330.tif 000006
【図６】
0004359330.tif 000007
【図７】
0004359330.tif 000008